(57)【要約】【課題】スプリッタモジュールから給電用及び利得切替え信号用の外部端子及びそのための配線を削減でき、コストダウンを図ること。【解決手段】前段にアンテナ装置が接続され当該アンテナ装置から出力される信号が入力する入力端子２と、増幅回路１１及び可変減衰器１３と、第１、第２の分配器１２，１４と第３、第４のコネクタ部４，５とを具備したスプリッタモジュール１において、第３のコネクタ部４に接続されたチューナ装置（Ａ）から当該第３のコネクタ部４を介して増幅回路１１の電源が供給され、第４のコネクタ部５に接続されたチューナ装置（Ｂ）から当該第４のコネクタ部５を介して可変減衰器１３のコントロール電圧が供給される。【選択図】図２
2008219768.tif 000002
【特許請求の範囲】
【請求項１】
前段にアンテナ装置が接続され当該アンテナ装置から出力される信号が入力する入力端子と、前記入力端子に接続され利得切替え可能な増幅装置と、前記増幅装置の出力信号を少なくとも２つに分配する分配器と、後段のチューナ装置にそれぞれ接続可能で前記分配器で分配された信号を出力する第１、第２の出力端子とを具備し、
前記第１の出力端子に接続されたチューナ装置から当該第１の出力端子を介して前記増幅装置の電源が供給され、前記第２の出力端子に接続されたチューナ装置から当該第２の出力端子を介して前記増幅装置の利得切替え信号が供給されることを特徴とするスプリッタモジュール。
【請求項２】
前記アンテナ装置へ電源を供給可能に構成されたことを特徴とする請求項１記載のスプリッタモジュール。
【請求項３】
請求項１又は請求項２記載のスプリッタモジュールが前段に接続されるチューナ装置であって、前記スプリッタモジュールの第１又は第２の出力端子に接続されるチューナ入力端子と、前記増幅装置用の電源電圧又は利得切替え信号のいずれかを選択して前記チューナ入力端子に供給可能な給電回路とを備え、
前記スプリッタモジュールが前段に接続された場合は、前記給電回路から電源電圧又は利得切替え信号を、前記チューナ入力端子を経由して前記増幅装置へ供給し、
前記スプリッタモジュールが前段に接続されていない場合は、前記給電回路から電源電圧及び利得切替え信号のいずれも供給しないことを特徴とするチューナ装置。
【請求項４】
前記アンテナ装置は、衛星放送信号を受信可能なアンテナ及びローノイズブロックコンバータを備え、
前記給電回路は、前記ローノイズブロックコンバータ用の電源電圧を前記チューナ入力端子に供給可能に構成され、
請求項２記載のスプリッタモジュールが前段に接続された場合は、前記給電回路から電源電圧又は利得切替え信号を、前記チューナ入力端子を経由して前記増幅装置へ供給し、
前記アンテナ装置が前記チューナ入力端子に直接接続された場合は、前記給電回路から前記ローノイズブロックコンバータ用の電源電圧を、前記チューナ入力端子を経由して前記ローノイズブロックコンバータへ供給することを特徴とする請求項３記載のチューナ装置。
【発明の詳細な説明】
【技術分野】
【０００１】
本発明は、アンテナ装置で受信された放送信号を分配するスプリッタモジュール及びスプリッタモジュールで分配した放送信号を取り込んで選局するチューナ装置に関する。
【背景技術】
【０００２】
従来、アンテナ装置で受信した放送信号をテレビ受像機及びレコーダ内蔵のチューナ装置へ並列に出力する放送信号受信システムでは、放送信号を分岐するためにスプリッタモジュールを備えている。例えば、２つの番組を同時に録画する場合は、１入力３出力のスプリッタモジュールが用いられる。
【０００３】
図７は２つのチューナが接続された１入力３出力のスプリッタモジュールの模式図である。スプリッタモジュール１００は、第１の接続端子１０１がアンテナ装置に接続されて放送信号が入力し、モジュール内で分岐された放送信号が第２、第３、第４の接続端子１０２、１０３、１０４から出力される。同図に示すように、第２の接続端子１０２をテレビ受像機に接続し、第３及び第４の接続端子１０３、１０４を第１のチューナＡ１０５及び第２のチューナＢ１０６に接続することで、テレビ受像機で番組を視聴しながら、２つの番組を同時に録画できる。
【０００４】
図８はスプリッタモジュール１００の概略的な内部回路構成図である。同図に示すように、第１の接続端子１０１に入力する信号が増幅回路１１１を介して第１の分配器１１２で分岐され、一方の信号が第２の接続端子１０２からテレビ受像機へ送出される。また、他方の信号がさらに第２の分配器１１３で分岐されて第３の接続端子１０３から第１のチューナＡ１０５へ送出され、第４の接続端子１０４から第２のチューナＢ１０６へ送出される。
【０００５】
上記スプリッタモジュール１００では、増幅回路１１１に対する電源供給及び動作コントロール（ゲインコントロール又は増幅動作のオン／オフ）のために給電端子１０７および制御端子１０８を設けている。従来のスプリッタモジュール１００は、図示していないマザーボードの電源装置から給電ラインを介して給電端子１０７へ電源電圧を供給する一方、図示していない制御回路（例えばＡＧＣ回路）から専用のコントロールラインを介して制御端子１０８にコントロール電圧を印加するように構成されている。
【０００６】
また、２系統の入力部を有したチューナモジュールに対して、単一のアンテナを有するアンテナモジュールを接続する場合に、アンテナモジュール、第１の入力部及び第２の入力部に対して、それぞれスプリッタモジュールの第１乃至第３のコネクタ部を接続する放送信号受信システムがある（例えば、特許文献１参照）。かかる放送信号受信システムでは、チューナモジュールから第１のコネクタ部に駆動電圧を印加し、第１のコネクタ部を介してスプリッタモジュールの増幅回路に供給する構成が示されている。
【特許文献１】特開２００５−１９８０７５号公報
【発明の開示】
【発明が解決しようとする課題】
【０００７】
しかしながら、特許文献１に記載のスプリッタモジュールは、モジュール内の増幅回路に対する電源電圧をチューナ側からコネクタ部を経由して供給する構成であるので、減衰器にコントロール電圧を印加するためにはスプリッタモジュールに外部端子及びそこまでの配線を設ける必要があり、コストアップの原因となっていた。
【０００８】
本発明は、かかる点に鑑みてなされたものであり、スプリッタモジュールから給電用及びコントロール電圧印加用の外部端子及び配線を削減でき、コストダウンを図ることのできるスプリッタモジュール及びチューナ装置を提供することを目的とする。
【課題を解決するための手段】
【０００９】
本発明のスプリッタモジュールは、前段にアンテナ装置が接続され当該アンテナ装置から出力される信号が入力する入力端子と、前記入力端子に接続され利得切替え可能な増幅装置と、前記増幅装置の出力信号を少なくとも２つに分配する分配器と、後段のチューナ装置にそれぞれ接続可能で前記分配器で分配された信号を出力する第１、第２の出力端子とを具備し、前記第１の出力端子に接続されたチューナ装置から当該第１の出力端子を介して前記増幅装置の電源が供給され、前記第２の出力端子に接続されたチューナ装置から当該第２の出力端子を介して前記増幅装置の利得切替え信号が供給されることを特徴とする。
【００１０】
この構成によれば、一方のチューナ装置から第１の出力端子を介して増幅装置の電源が供給され、他方のチューナ装置から第２の出力端子を介して増幅装置の利得切替え信号が供給されるので、スプリッタモジュールに対して増幅装置に電源電圧及び利得切り替え信号を供給するための外部端子を設ける必要がなく、そのための配線を削減することもできる。
【００１１】
上記スプリッタモジュールにおいて、前記アンテナ装置へ電源を供給可能に構成することができる。
【００１２】
本発明のチューナ装置は、上記スプリッタモジュールが前段に接続されるチューナ装置であって、前記スプリッタモジュールの第１又は第２の出力端子に接続されるチューナ入力端子と、前記増幅装置用の電源電圧又は利得切替え信号のいずれかを選択して前記チューナ入力端子に供給可能な給電回路とを備え、前記スプリッタモジュールが前段に接続された場合は、前記給電回路から電源電圧又は利得切替え信号を、前記チューナ入力端子を経由して前記増幅装置へ供給し、前記スプリッタモジュールが前段に接続されていない場合は、前記給電回路から電源電圧及び利得切替え信号のいずれも供給しないことを特徴とする。
【００１３】
この構成により、スプリッタモジュールが前段に接続された場合は、チューナ装置側から電源電圧又は利得切替え信号をチューナ入力端子経由で増幅装置へ供給するので、スプリッタモジュールの外部端子及び配線を削除することができる。
【００１４】
また本発明は、上記チューナ装置において、前記アンテナ装置は、衛星放送信号を受信可能なアンテナ及びローノイズブロックコンバータを備え、前記給電回路は、前記ローノイズブロックコンバータ用の電源電圧を前記チューナ入力端子に供給可能に構成され、上記スプリッタモジュールが前段に接続された場合は、前記給電回路から電源電圧又は利得切替え信号を、前記チューナ入力端子を経由して前記増幅装置へ供給し、前記アンテナ装置が前記チューナ入力端子に直接接続された場合は、前記給電回路から前記ローノイズブロックコンバータ用の電源電圧を前記チューナ入力端子経由で前記ローノイズブロックコンバータへ供給することを特徴とする。
【００１５】
この構成により、スプリッタモジュールが前段に接続された場合は、チューナ装置側から電源電圧又は利得切替え信号をチューナ入力端子経由で増幅装置へ供給し、アンテナ装置がチューナ入力端子に直接接続された場合は、給電回路からローノイズブロックコンバータ用の電源電圧をチューナ入力端子経由でローノイズブロックコンバータへ供給するので、スプリッタモジュールが前段に接続される場合と接続されない場合の双方に対応することができ、システム構成の変更にも同一構成のチューナ装置で対応することができる。
【発明の効果】
【００１６】
本発明によれば、スプリッタモジュールから給電用及び利得切替え信号用の外部端子及びそのための配線を削減でき、コストダウンを図ることができる。
【発明を実施するための最良の形態】
【００１７】
以下、本発明の実施の形態について添付図面を参照して詳細に説明する。
図１は本発明の一実施の形態に係るスプリッタモジュール及びチューナ装置の概略図である。スプリッタモジュール１は、入力端子となる第１のコネクタ部２がアンテナ装置に接続され、第２のコネクタ部３がテレビ受像機に接続される。さらに、第１の出力端子となる第３のコネクタ部４が一方のチューナ装置６の入力端子に接続され、第２の出力端子となる第４のコネクタ部５が他方のチューナ装置７の入力端子に接続される。本実施の形態では、一方のチューナ装置（Ａ）６から第３のコネクタ部４に電源電圧を印加してスプリッタモジュール１に給電を行い、他方のチューナ装置（Ｂ）６から第４のコネクタ部５に利得切替え信号としてのコントロール電圧を印加してスプリッタモジュール１の利得を制御するように構成されている。なお、本発明は１入力３出力のスプリッタモジュールに限定されるものでは無く、前段のアンテナ装置から受信信号が入力する１入力と、後段に接続される２つのチューナ装置Ａ，Ｂへ信号を出力する２出力とがあれば適用可能である。また、スプリッタモジュール１にアンテナ給電用の給電端子１ａを設けて、スプリッタモジュール１から第１のコネクタ部２を経由してアンテナ装置に給電するように構成してもよい。
【００１８】
図２はスプリッタモジュール１の回路構成図である。アンテナ装置から入力される信号を増幅する増幅回路１１、増幅回路１１の出力信号を分岐する第１の分配器１２、第１の分配器１２で分岐された一方の信号の利得を制御する可変減衰器１３、可変減衰器１３で利得制御した信号を分岐する第２の分配器１４を備えている。本実施の形態では増幅回路１１と可変減衰器１３とで増幅装置を構成しているが、本発明はこのような構成に限定されない。例えば、利得可変増幅器、減衰動作をＯＮ／ＯＦＦ可能な減衰器を用いることもできる。これに対応して利得切替え信号も、ＡＧＣ回路から出力されるゲインコントロール信号の他に減衰器の減衰動作をＯＮ／ＯＦＦさせる制御信号であっても良い。第３のコネクタ部４には、一方のチューナ装置（Ａ）６から増幅回路１１の電源電圧が印加される。第３のコネクタ部４はコイル１５を介して増幅回路１１の電源端子に接続されている。また、第４のコネクタ部５には、他方のチューナ装置（Ｂ）７から可変減衰器１３の減衰率を制御するためのコントロール電圧が印加される。第４のコネクタ部５はコイル１６を介して可変減衰器１３の制御端子に接続されている。
【００１９】
図３はチューナ装置（Ａ）６及びチューナ装置（Ｂ）７における電源電圧又はコントロール電圧の供給部分の概略的な回路構成図である。チューナ装置（Ａ）６及びチューナ装置（Ｂ）７は同一の図面を用いて説明する。一方のチューナ装置（Ａ）６では、チューナ本体２０がコンデンサ２１を介して第３のコネクタ部４に接続されている。第３のコネクタ部４と接続されるチューナ装置（Ａ）６の入力端子６ａには、電源電圧が印加される端子ＩＮＰＵＴがコイル２２を介して接続されている。また、他方のチューナ装置（Ｂ）７では、チューナ本体２０がコンデンサ２１を介して第４のコネクタ部５に接続され、第４のコネクタ部５と接続されるチューナ装置（Ｂ）７の入力端子７ａには、可変減衰器１３に対するコントロール電圧が印加される端子ＩＮＰＵＴがコイル２２を介して接続されている。
【００２０】
以上のように構成された本実施の形態によれば、一方のチューナ装置（Ａ）６において端子ＩＮＰＵＴに印加された電源電圧がチューナ装置（Ａ）６の入力端子とスプリッタモジュール１の第３のコネクタ部４との接続部を経由してスプリッタモジュール１に取り込まれ、図２に示すようにコイル１５を介して増幅回路１１へ供給される。
【００２１】
一方、他方のチューナ装置（Ｂ）７において端子ＩＮＰＵＴに印加されたコントロール電圧がチューナ装置（Ｂ）７の入力端子７ａとスプリッタモジュール１の第４のコネクタ部５との接続部を経由してスプリッタモジュール１に取り込まれ、図２に示すようにコイル１６を介して可変減衰器１３へ印加される。
【００２２】
このように、一方のチューナ装置（Ａ）６から第３のコネクタ部４を経由して電源電圧がスプリッタモジュール１の増幅回路１１に供給され、かつ他方のチューナ装置（Ｂ）７から第４のコネクタ部５を経由してコントロール電圧がスプリッタモジュール１の可変減衰器１３に供給される。一方、アンテナ装置から導入されたＲＦ信号は、チューナ側から給電されている増幅回路１１で増幅された後、第１の分配器１２で分岐される。その分岐された一方の信号が第３のコネクタ部４経由でチューナ側から供給されるコントロール電圧で制御された可変減衰器１３で減衰量を制御され、第２の分配器１４で分岐されて、２つのチューナ装置（Ａ）（Ｂ）６，７へそれぞれ送出される。
【００２３】
以上のように本実施の形態によれば、スプリッタモジュール１の２つのコネクタ部４，５に接続されるチューナ装置（Ａ）（Ｂ）６，７から当該コネクタ部４，５を経由して電源電圧及びコントロール電圧をスプリッタモジュール１へ供給するように構成したので、スプリッタモジュール１から電源電圧及びコントロール電圧を供給するための外部端子を削減することができ、そのための配線を削減でき、コストダウンを図ることができる。
【００２４】
なお、上記実施の形態では、チューナ装置（Ａ）の端子ＩＮＰＵＴには電源電圧を供給し、チューナ装置（Ｂ）の端子ＩＮＰＵＴにはコントロール電圧を印加するように構成していたが、本発明はこのような構成に限定されるものではない。
【００２５】
例えば、図４に示すように、チューナ装置（Ａ）（Ｂ）６，７において電源電圧を印加可能な端子ＩＮＰＵＴを設けると共に、チューナ入力端子６ａ，７ａにスイッチ２３を介してコントロール電圧を選択的に印加可能に構成する。チューナ装置の集積回路２４においてスプリッタモジュール１の可変減衰器１３に対するコントロール電圧を生成する場合、この集積回路２４のコントロール電圧出力端子がスイッチ２３を介してチューナ入力端子６ａ，７ａに接続される。
【００２６】
一方のチューナ装置（Ａ）６では、スイッチ２３を開放すると共にチューナ入力端子６ａに電源電圧を印加するように設定し、他方のチューナ装置（Ｂ）７では、端子ＩＮＰＵＴをオープン状態にすると共にスイッチ２３を閉じてチューナ入力端子７ａにコントロール電圧を印加するように設定する。
【００２７】
以上のようにチューナ装置を構成することにより、一方のチューナ装置（Ａ）６と他方のチューナ装置（Ｂ）７とを同一構成にすることができ、チューナ装置の共通化を図ることができる。
【００２８】
次に、アンテナ装置又はスプリッタモジュールで給電可能な衛星放送受信用チューナ装置の実施の形態について説明する。
【００２９】
図５は本実施の形態に係る衛星放送受信用チューナ装置の概略的な回路構成図である。衛星放送受信用チューナ装置３０は、アンテナ装置の出力端となるコネクタ部又はスプリッタモジュールのコネクタ部が接続されるチューナ入力端子３１を有する。アンテナ装置は、衛星放送受信用アンテナ及びローノイズブロックコンバータ（ＬＮＢ）を備えて構成され、ＬＮＢに対して給電される。衛星放送受信用チューナ装置３０のチューナ入力端子３１にはコンデンサ３２、増幅回路３３を介して図示していないチューナ本体が接続される。
【００３０】
また、衛星放送受信用チューナ装置３０には、ＬＮＢに給電するための電源電圧が印加される給電端子３４が設けられている。この給電端子３４はコイル３５を介してチューナ入力端子３１に接続されている。さらに、スプリッタモジュール給電用の電源電圧又は利得調整用のコントロール電圧の一方がスイッチ３６を介して入力端子３１に与えられる。スイッチ３６の一方の端子３６ａには、スプリッタモジュール給電用の電源電圧と可変減衰器の利得又はＯＮ/ＯＦＦ制御用のコントロール電圧とが、図示していないスイッチで切替えられて選択的に供給可能に構成されている。すなわち、本実施の形態では衛星放送受信用チューナ装置３０からアンテナ装置へ給電可能であると共にスプリッタモジュールへも電源電圧及びコントロール電圧を供給可能に構成されている。アンテナ装置と衛星放送受信用チューナ装置３０との間にスプリッタモジュールが介在するか否かに応じてチューナ装置側の設定を切替える。
【００３１】
図６（ａ）は衛星放送受信用チューナ装置３０にアンテナ装置を直接接続する場合の給電ルートを示し、図６（ｂ）はスプリッタモジュール４０を間に介してアンテナ装置に接続する場合の給電ルートを示している。
【００３２】
衛星放送受信用チューナ装置３０にアンテナ装置を直接接続する場合（図６（ａ））、衛星放送受信用チューナ装置３０のスイッチ３６を開放すると共に給電端子３４に電源電圧を印加するように設定する。これにより、衛星放送受信用チューナ装置３０の入力端子３１を介してＬＮＢに電源供給される。
【００３３】
スプリッタモジュール４０を間に介してアンテナ装置に接続する場合（図６（ｂ））、スプリッタモジュール４０の給電端子４１に電源電圧を印加してスプリッタモジュール４０の入力端子４２からＬＮＢに電源供給される。また、スプリッタモジュール４０に対するコントロール電圧は、上記実施の形態と同様にして衛星放送受信用チューナ装置３０から入力端子３１を経由して供給される。このとき、スイッチ３６はＯＮ状態に設定され、スイッチ３６の端子３６ａには、スプリッタモジュールの可変減衰器の利得又はＯＮ/ＯＦＦ制御用のコントロール電圧が印加されている。また、スプリッタモジュール４０の増幅回路に対して電源電圧を印加する場合は、スイッチ３６はＯＮ状態に設定され、スイッチ３６の端子３６ａにはコントロール電圧に代えて電源電圧が供給されるように不図示のスイッチを切替える。
【００３４】
なお、１つのアンテナ装置に対して２つの衛星放送受信用チューナ装置３０を接続する場合は、１入力２出力のスプリッタモジュールを用いることができる。スプリッタモジュールの２つの出力端子（コネクタ部）に対して並列に２つの衛星放送受信用チューナ装置が接続されるので、図１に示す実施の形態と同様に、スプリッタモジュールに対する電源電圧は一方のチューナ装置から入力端子３１経由で供給し、コントロール電圧は他方のチューナ装置から入力端子３１経由で供給する。
【００３５】
このように本実施の形態によれば、アンテナ装置が直接接続される場合には給電端子３４から入力端子３１経由で給電することができ、スプリッタモジュール４０を介してアンテナ装置が接続される場合にはスプリッタモジュール４０の増幅回路に電源電圧又はコントロール電圧を供給でき、スプリッタモジュール４０に外部端子を設けて外部から供給する場合に比べて端子数を削減できると共に配線を低減することができる。
【００３６】
また、以上の説明では、スプリッタモジュール４０に外部から供給される電源電圧を入力端子４２経由でアンテナ装置に供給しているが、衛星放送受信用チューナ装置３０の給電端子３４に供給される電源電圧を、スプリッタモジュール４０経由で供給するように構成しても良い。
【産業上の利用可能性】
【００３７】
本発明は、１つのアンテナ装置から出力される信号を分配するスプリッタモジュール及びスプリッタモジュールで分配した放送信号を取り込むチューナ装置に適用可能である。
【図面の簡単な説明】
【００３８】
【図１】一実施の形態に係るスプリッタモジュール及びチューナ装置の概略図
【図２】図１のスプリッタモジュールの概略的な回路構成図
【図３】図１のチューナ装置における電源供給回路部分の構成図
【図４】図１のチューナ装置における電源供給回路部分の変形例の構成図
【図５】他の実施の形態に係るチューナ装置の概略的な構成図
【図６】（ａ）他の実施の形態においてアンテナ装置にチューナ装置を直接接続した模式図、（ｂ）他の実施の形態においてスプリッタモジュールを介してチューナ装置を接続した模式図
【図７】従来の１入力３出力のスプリッタモジュールに２つのチューナ装置を接続した状態を示す図
【図８】図７のスプリッタモジュールの概略的な回路構成図
【符号の説明】
【００３９】
１…スプリッタモジュール（１入力３出力）
２…第１のコネクタ部（入力端子）
３…第２のコネクタ部
４…第３のコネクタ部（第１の出力端子）
５…第４のコネクタ部（第２の出力端子）
６…チューナ装置Ａ
７…チューナ装置Ｂ
１１…増幅回路
１２…第１の分配器
１３…可変減衰器
１４…第２の分配器
１５，１６…コイル
２０…チューナ本体
２１…コンデンサ
２２…コイル
２３…スイッチ
２４…集積回路
３０…チューナ装置
３１…チューナ入力端子
３４…給電端子
３６…スイッチ
４０…スプリッタモジュール（１入力１出力）
【図１】
2008219768.tif 000003
【図２】
2008219768.tif 000004
【図３】
2008219768.tif 000005
【図４】
2008219768.tif 000006
【図５】
2008219768.tif 000007
【図６】
2008219768.tif 000008
【図７】
2008219768.tif 000009
【図８】
2008219768.tif 000010